(57)【要約】      （修正有）【課題】組み立てが容易で、組み立て後は堅牢であり、外部からの荷重で崩れたりせず、且見栄えの良い組立て式箱を提供する。【解決手段】左右の側板２、３及び前側板４の上縁に夫々水平な折り込み縁１１、１２を設け、左右の側板２、３の前縁から前側板４の内側に折り込んだフラップを夫々設け、当該各フラップの上縁に突起を夫々設け、前記左右の側板２、３の折り込み縁１１の前端縁に凹凸形状の係止部を設け、前記前側板４の折り込み縁１２の左右端縁に凹凸形状の係止部を設けるとともに前記前側板４の上縁の折り目に近接しかつ平行に、折り込み縁１２の左右に切り込み１５を夫々設け、前記各フラップの各突起を前側板４の折り込み縁１２の各切り込み１５に入れ、前側板４の折り込み縁１２の左右の係止部を左右の側板２、３の各折り込み縁１１の前端の各係止部に相互に係止した。【選択図】図１
0003141543.tif 000002
【実用新案登録請求の範囲】
【請求項１】
略四辺形の底板の各辺に折り目を介して側板を有する組立て式箱において、
左右の側板及び前側板の上縁に夫々折り目を介してほぼ水平な折り込み縁を設け、左右の側板の前縁から、夫々折り目を介して前記前側板の内側に折り込んだフラップを設け、
当該各フラップの上縁に扁平な突起を設け、
前記左右の側板の折り込み縁の前端縁に凹凸形状の係止部を設け、
前記前側板の折り込み縁の左右端縁に凹凸形状の係止部を設けるとともに、前記各フラップの突起の位置に合わせて前記前側板の折り込み縁の左右に切り込みを夫々設け、
前記各フラップの各突起を前側板の折り込み縁の各切り込みに入れ、前側板の折り込み縁の左右の係止部を左右の側板の各折り込み縁の前端の各係止部に相互に係止したことを特徴とする、組立て式箱。
【請求項２】
前記前側板の折り込み縁の左右端縁の係止部及び左右の側板の各折り込み縁の前端縁の各係止部は、各端縁がそれぞれの側板角部に向かって、斜めに切り取られ、その傾斜縁の左右の一方に突出部を設けて凹凸形状をなし、相対向する係止部の突出部が相対向する係止部の傾斜縁の下に挿入されて係止されることを特徴とする、請求項１に記載の組立て式箱。
【請求項３】
前記組立て式箱は、後側板の上縁に折り目を介して天板を設け、当該天板の前縁に折り目を介して設けた係止片を前側板に係止し、前記箱の開口部を塞ぐ構成としたことを特徴とする、請求項１又は２に記載の組立て式箱。
【請求項４】
前記組立て式箱は、後側板の上縁に折り目を介して天板を設け、当該天板の周囲に下方に垂下した周縁壁を設け、前記箱の三辺の側板に前記周縁壁を被せて箱の開口部を塞ぐ構成としたことを特徴とする、請求項１又は２に記載の組立て式箱。
【請求項５】
前記組立て式箱は、四辺形の板の周囲に下方に垂下した周縁壁を有する蓋を別途設け、当該蓋の周縁壁を前記箱の四辺の側板に被せて開口部を塞ぐ構成としたことを特徴とする、請求項１又は２に記載の組立て式箱。
【考案の詳細な説明】
【技術分野】
【０００１】
この考案は、菓子店等において、菓子やその他の食品等を販売する際、その場で、扁平に折り畳んだ箱を組み立てて、前記商品を収納可能な組立て式箱に関するものである。
【背景技術】
【０００２】
従来、菓子店において、生菓子等を販売する際、持ち運びに便利な紙箱を使用している。この様な紙箱は、予め扁平に折り畳んで保管され、前記商品を販売する際に、店員等が当該紙箱を立体的に組み立てて、この中に、前記商品を収納し、顧客に持たせている。従って、扁平なものから容易かつ迅速に、組み立てられ、さらに組立て後は容易に崩れない組立て式箱が求められている。
【０００３】
この様な紙箱の例として、特許文献１に示すものがある。これは図９に示すように、略四辺形の底板５０の各辺に折り目を介して側板５１を有する組立て式箱において、左右の側板５１ａの上縁に夫々折り目を介してほぼ水平な折り込み縁５２、５２を設け、左右の側板５１ａの前縁から、夫々折り目を介して前記前側板５１ｂの外側に折り込んだフラップ５３、５３を設け、当該各フラップ５３の先端に係止突出部５３ａを設け、前側板５１ｂの左右に前記各フラッフ５３の係止突出部５３ａを挿入、係止可能な切り込み５４、５４を設け、前記各フラップ５３の各突出部５３ａを前側板５１ｂの各切り込み５４に挿入、係止し、後側板５１ｃの上端に折り目を介して設けた天板５５の前端縁に折り目を介して設けた係止片５６を前記前側板５１ｂの内側に挿入、係止して、箱の開口部を塞ぐものである。
【０００４】
この図９の箱は、前側板５１ｂの左右両側の外側に、フラップ５３、５３を重ねるため、見栄えが悪く、その上、当該フラップ５３が外側に出ているため、隣接して置いた他物に当該フラップ５３が引っかかり、切り込み５４から突出部５３ａが抜けてしまうおそれがある。また、組み立ての際も、当該フラップ５３を前側板５１ｂの切り込み５４に挿入するのに手間がかかっている。
【０００５】
また、特許文献２に示すように、正方形又は長方形の底板に、端壁と左右の側壁を折り曲げ起伏可能に連接するとともに、前記端壁と各側壁の各上辺部に、内側に向けて略水平方向に折り曲げ可能な壁縁片を設け、且つ上記折り曲げ状態で隣接する壁縁片を連結固定する係止構造を設けてなる組立て式包装箱が開発されている。
【０００６】
しかしながら、この特許文献２のものは、端壁は左右の側壁と、隣接する各壁縁片の端部の係止構造のみにより接続支持されており、外部からのちょっとした荷重で、前記係止構造が外れてしまうと、前記端壁は崩れてしまう恐れがある。
【０００７】
【特許文献１】特開２００３−３００５１８号公報
【特許文献２】特開２００２−２８４１４２号公報
【考案の開示】
【考案が解決しようとする課題】
【０００８】
この考案は、この様な従来技術の課題を考慮して成されたもので、組み立てが容易かつ迅速に行え、組み立て後は堅牢であり、外部からの荷重で崩れたりせず、且見栄えの良い組立て式箱を提供して前記課題を解決するものである。
【課題を解決するための手段】
【０００９】
そこで、請求項１の考案は、略四辺形の底板の各辺に折り目を介して側板を有する組立て式箱において、左右の側板及び前側板の上縁に夫々折り目を介しほぼ水平な折り込み縁を設け、左右の側板の前縁から、夫々折り目を介して前記前側板の内側に折り込んだフラップを設け、当該各フラップの上縁に扁平な突起を設け、前記左右の側板の折り込み縁の前端縁に凹凸形状の係止部を設け、前記前側板の折り込み縁の左右端縁に凹凸形状の係止部を設けるとともに、前記各フラップの突起の位置に合わせて前記前側板の折り込み縁の左右に切り込みを夫々設け、前記各フラップの各突起を前側板の折り込み縁の各切り込みに入れ、前側板の折り込み縁の左右の係止部を左右の側板の各折り込み縁の前端の各係止部に相互に係止した、組立て式箱とした。
【００１０】
請求項２の考案は、請求項１の考案において、前記前側板の折り込み縁の左右端縁の係止部及び左右の側板の各折り込み縁の前端縁の各係止部は、各端縁がそれぞれの側板角部に向かって、斜めに切り取られ、その傾斜縁の左右の一方に突出部を設けて凹凸形状をなし、相対向する係止部の突出部が相対向する係止部の傾斜縁の下に挿入されて係止される、組立て式箱とした。
【００１１】
また、請求項３の考案は、請求項１又は２の考案において、前記組立て式箱は、後側板の上縁に折り目を介して天板を設け、当該天板の前縁に折り目を介して設けた係止片を前側板に係止し、前記箱の開口部を塞ぐ構成とした。
【００１２】
また、請求項４の考案は、請求項１又は２の考案において、前記組立て式箱は、後側板の上縁に折り目を介して天板を設け、当該天板の周囲に下方に垂下した周縁壁を設け、前記箱の三辺の側板に前記周縁壁を被せて箱の開口部を塞ぐ構成とした。
【００１３】
また、請求項５の考案は、請求項１又は２の考案において、前記組立て式箱は、四辺形の板の周囲に下方に垂下した周縁壁を有する蓋を別途設け、当該蓋の周縁壁を前記箱の四辺の側板に被せて開口部を塞ぐ構成とした。
【考案の効果】
【００１４】
請求項１〜５の考案によれば、箱の組み立てに際し、左右の側板の上縁の折り込み縁を内側ほぼ水平に折り込み、前端の各フラップを各側板に直角に折り込み、これらの左右のフラップの外側から前側板を底板に対して直角に折り込み、当該前側板の上縁の折り込み縁を内側にほぼ水平に折り込んで、当該折り込み縁の左右の各切り込みに、前記フラップの上縁に設けた各突起を入れ、前側板の折り込み縁の左右の係止部を左右の側板の各折り込み縁の前端の各係止部に相互に係止することにより組み立てが終了する。これらの作業、すなわち、各突起の各切り込みへの挿入と各係止部の係止が、前側板の折り込み縁を左右の側板の折り込み縁の係止により同時に行うことができるので、組み立て作業が極めて容易かつ迅速に行える。
【００１５】
また、前側板は、自体の折り込み縁の左右の係止部と左右側板の各折り込み縁の前端の係止部との係合、並びに当該折り込み縁の左右の切り込みに、左右側板のフラップの突起を挿入、係止とによって、左右側板に係止、支持されるため、組み立て後は堅牢で、他物に当たってもまた、他物から箱に荷重がかかっても箱が崩れたりしない。また、組み立てた箱の側面、特に前側板の外側に突出物がなく、見栄えが良いとともに、突出物がないので、他物に引っかかるおそれもない。
【００１６】
また、請求項２の考案は、前記係止部がより強固に係止され、箱がより堅牢である。また、請求項３の考案は、箱本体と蓋とが一体となっており、箱の組み立てが容易で、箱に使用する台紙を一枚で有効に使用することができる。
【００１７】
また、請求項４の考案は、箱本体と蓋とが一体となっており、天板の周囲の周縁壁を、左右側板及び前側板の上部に被せるため、前記隣接する係止部の相互の係合や切り込みに挿入された突起の係止がより強固となる。また、請求項５の考案は、箱本体と蓋とを別体としているが、前記請求項４の前記効果を有するものである。
【考案を実施するための最良の形態】
【００１８】
この考案は、略四辺形の底板の各辺に折り目を介して側板を有する組立て式箱において、左右の側板及び前側板の上縁に夫々折り目を介しほぼ水平な折り込み縁を設け、左右の側板の前縁から、夫々折り目を介して前記前側板の内側に折り込んだフラップを設け、当該各フラップの上縁に扁平な突起を設け、前記左右の側板の折り込み縁の前端縁に凹凸形状の係止部を設け、前記前側板の折り込み縁の左右端縁に凹凸形状の係止部を設けるとともに前記前側板の上縁の折り目に近接しかつほぼ平行に、前記各フラップの突起の位置に合わせて前記前側板の折り込み縁の左右に切り込みを夫々設け、前記各フラップの各突起を前側板の折り込み縁の各切り込みに入れ、前側板の折り込み縁の左右の係止部を左右の側板の各折り込み縁の前端の各係止部に相互に係止することにより、組み立てが容易で、かつ、組み立て後は堅牢な箱である。
【実施例１】
【００１９】
以下、この考案の実施例を図に基づいて説明する。
図１はこの考案の紙箱の蓋体を開けた状態の斜視図、図２はこの考案の紙箱の台紙の展開図である。
【００２０】
この考案の紙箱の台紙の展開図から説明する。四辺形の底板１の左右に折り目ａを介して左側板２及び右側板３を夫々設け、前記底板１の前後に、折り目ｂを介して、前側板４及び後側板５を夫々設け、後側板５の後縁には折り目ｃを介して天板６を設けている。
【００２１】
また、左側板２及び右側板３の後端には夫々折り目ｄを介して係止帯７、７を設け、これらの各係止帯７の先端に、一側に切り込み８ａを有する鍵片８を設けている。これらの鍵片８は、箱を組み立てる際、各係止帯７を立ち上げた状態で、各切込み８ａが相対向する位置にあり、相互に切り込み８ａを係合させて係止自在となっている。また、左側板２及び右側板３の前端には夫々折り目ｅを介してフラップ９、９を設けている。これらの各フラップ９の外側縁には夫々扁平な突起１０、１０を設けている。これらの各突起１０は、箱を組み立てる際、各フラップ９を立ち上げた状態で各フラップ９の上縁に位置する。
【００２２】
また、左側板２及び右側板３の外側縁には夫々折り目ｆを介して折り込み縁１１、１１を設けている。これらの折り込み縁１１の前端縁は、各端縁がそれぞれ左側板２又は右側板３の角部に向かって、斜めに切り取られて傾斜縁１１ａを形成し、これらの各傾斜縁１１ａの、前記各角部に隣接した側に突出部１１ｂを夫々設けて凹凸形状を成している。
【００２３】
また、前記前側板４の前端縁には折り目ｇを介して折り込み縁１２を設けている。この折り込み縁１２の左右の両端縁は、各端縁がそれぞれ前側板４の角部に向かって、斜めに切り取られて傾斜縁１２ａを形成し、これらの各傾斜縁１２ａの、当該折り込み縁１２の先端縁に隣接した側に突出部１２ｂを夫々設けて凹凸形状を成している。また、前記折り目ｇに近接しかつ平行して折り込み縁１３の中央に、中央切り込み１３を設け、この中央切り込み１３の中央から前側板４に向けて略半円形の切り欠き１４を設けている。また、この中央切り込み１３の両側の折り目ｇに近接しかつ平行して、折り込み縁１２上に切り込み１５、１５を設けている。これらの各切り込み１５は前記各突起１０が挿入自在な位置にあり、且大きさを有している。
【００２４】
また、前記天板６の後端縁の中央部に、折り目ｈを介して、前記中央切り込み１３に挿入、係止自在な係止片１６を設けている。
【００２５】
次にこの実施例１の箱の組み立てを順に説明する。まず、折り目ａで折って底板１の左右に左側板２及び右側板３を立てる。また、左側板２及び右側板３の上縁の折り目ｆにより折り込み縁１１、１１を内側にほぼ水平に折る。また、これらの左側板２及び右側板３の後端の折り目ｄにより係止帯７、７を内側に直角に折り、各先端の鍵片８、８を相互に切り込み８ａに挿入して係合させる。
【００２６】
また、左側板２及び右側板３の前端の折り目ｅにより各フラップ９、９を直角に折り曲げ、折り目ｂにより後側板５を内側に折り曲げ、また、天板６を折り目ｃにより内側に折る。これにより図３の状態になる。そして、前記フラップ９、９の外側に、折り目ｂを介して前側板４を折り曲げ、底板１の前端に立てる。そして、当該前側板４の上縁の折り目ｇにより折り込み縁１２を内側水平に折り曲げ、当該折り込み縁１２の左右の各切り込み１５に前記各フラップ９の突起１０を挿入する。これにより図４の状態になる。
【００２７】
そして、図５に示すように、前側板４の折り込み縁１２の左端縁の傾斜縁１２ａの下に左側板２の折り込み縁１１の前端縁の突出部１１ｂを、また、これと同時に左側板２の折り込み縁１１の前端縁の傾斜縁１１ａの下に前側板４の折り込み縁１２の左端縁の突出部１２ｂを夫々挿入する。これにより、図６に示すように、左側板２と前側板４とが係止される。そして、これと同様に右側板３と前側板４とを係合させる。
【００２８】
これらの折り込み縁１２の左右の各切り込み１５に前記各フラップ９の突起１０を挿入し、また、左側板２及び右側板３の折り込み縁１１と前側板４の折り込み縁１２の相互の係止作業は、説明上分けて説明したが、これらの作業は一つの動作で行え、左側板２及び右側板３の折り込み縁１１と前側板４の折り込み縁１２の相互の係止作業の際、同時に折り込み縁１２の各切込み１５に各フラップ９の突起１０を挿入できるものである。従って、組立てが容易かつ迅速に行える。
【００２９】
さらに、前記後側板５及び天板６を折り曲げ、天板６の先端の係止片１６を前側板４の中央切り込み１３に挿入することにより、図７に示すように、天板６で箱の開口部を塞いだ状態で天板６が係止され、組立て完了となる。また、この箱の不要の際は、図３の台紙の状態、又は左側板２、右側板３及びこれらに付随する係止帯７、フラップ９を折り目ａの箇所で底板１側に折り畳んだ状態で保管しておき、必要な時に上述のように組み立てる。
【実施例２】
【００３０】
図８はこの考案の実施例２の箱の組立て途中の斜視図であり、前記実施例１の係止帯７に代えて、底板１から折り目を介して立ち上げた後側板５の両端に折り目を介して折り込み片２０を設け（図では１個のみ図示、他は省略）、この折り込み片２０を左側板２及び右側板３の内側に重ね、これらの上部を貼着し、左側板２及び右側板３の、底板１及び後側板５とが交差する角部から夫々の上端角部まで対角線状に折り目２１を設けている。これにより、左側板２及び右側板３を、底板１上に折り畳んだ際、これらに連接した後側板５も底板上に折り畳まれ、扁平となる。また、天板６の左右側辺及び前側辺に折り畳み自在な周縁壁２２を設けている。他の構成は前記実施例１と同じである。
【００３１】
この実施例２の場合も、左側板２及び右側板３の折り込み縁１１の前端縁の傾斜縁１１ａ及び突出部１１ｂと、前側板４の折り込み縁１２の両側の傾斜縁１２ａ及び突出部１２ｂとの各係合及びフラップ９の突起１０の、前側板４の折り込み縁１２の両側の各切り込み１５への挿入による前側板４の係止は同様である。この実施例２の場合は、これらの上から天板６の周縁壁２２を被せて箱本体の開口部を塞ぐものである。
【００３２】
また、上記実施例に代えて、周縁壁を天板の周囲に設けた蓋を別途用意し、これを箱本体に被せて開口部を塞ぐ構成のものにも適用できる。また、この考案の組立て式箱は、紙製、プラスチック製等、材質は問わない。
【図面の簡単な説明】
【００３３】
【図１】この考案の実施例１の、蓋体を開けた状態の箱の組み立て斜視図である。
【図２】この考案の実施例１の箱の台紙の展開図である。
【図３】この考案の実施例1の箱の組立て途中の斜視図である。
【図４】この考案の実施例１の箱の組立て途中の斜視図である。
【図５】この考案の実施例１の箱の組立て途中の要部斜視図である。
【図６】この考案の実施例１の箱の組立て後の要部斜視図である。
【図７】この考案の実施例１の、蓋体を閉めた状態の箱の組み立て斜視図である。
【図８】この考案の実施例２の箱の組立て途中の斜視図である。
【図９】従来例の箱の蓋を開けた状態の斜視図である。
【符号の説明】
【００３４】
１      底板                      ２      左側板
３      右側板                    ４      前側板
５      後側板                    ６      天板
７      係止帯                    ８      鍵片
８ａ    切り込み                  ９      フラップ
１０      突起                    １１      折り込み縁  
１１ａ    傾斜縁                  １１ｂ    突起部
１２      折り込み縁              １２ａ    傾斜縁
１２ｂ    突起部                  １３      中央切り込み
１４      切欠き                  １５      切り込み
１６      係止片                  ２０      折り込み片
２１      折り目                  ２２      周縁壁
【図１】
0003141543.tif 000003
【図２】
0003141543.tif 000004
【図３】
0003141543.tif 000005
【図４】
0003141543.tif 000006
【図５】
0003141543.tif 000007
【図６】
0003141543.tif 000008
【図７】
0003141543.tif 000009
【図８】
0003141543.tif 000010
【図９】
0003141543.tif 000011